(57)【特許請求の範囲】
【請求項１】
光ピックアップが移動可能に支持されるシャーシに開口部が設けられ、この開口部から上記光ピックアップがほぼ全面的に表出される構造の光ディスク装置において、上記開口部に上記光ピックアップの移動方向に架け渡される橋渡し部を設けたことを特徴とする光ディスク装置。
【請求項２】
上記光ピックアップに、上記橋渡し部に対する逃げ凹部を設けたことを特徴とする請求項１に記載の光ディスク装置。
【発明の詳細な説明】
【０００１】
【発明の属する技術分野】
本発明は光ディスク装置に関し、特にそのシャーシの構造に係るものである。
【０００２】
【従来の技術】
先ず、図１を参照して従来例を説明する。
図１において１は光ディスク装置のシャーシで、このシャーシ１は厚さ０．６〜０．８ｍｍ程度の硬い板金で出来ており、このシャーシ１に光ディスクＤを回転駆動するためのスピンドルモーター２や光ディスクＤに対する信号の記録または再生を行なう光ピックアップ４が支持されている。
【０００３】
スピンドルモーター２の駆動軸にはターンテーブル３が取り付けられており、このターンテーブル３に光ディスクＤがチャッキングされ、その状態でスピンドルモーター２が駆動することによってターンテーブル３と一体に光ディスクＤが回転駆動される。
【０００４】
光ピックアップ４は、シャーシ１の下面側に横架固定されるガイド軸５ａ，５ｂに沿って光ディスクＤの径方向に移動するように支持されており、その一半部には光ディスクＤの信号記録面と対向する対物レンズ６を収容する対物レンズ収容部７が設けられているとともに、他半部には上記対物レンズ６を通して光ディスクに対する信号の記録または再生を行なうための光学系が内蔵されている。
【０００５】
対物レンズ収容部７において対物レンズ６は、二軸アクチュエーター８によって二軸方向（フォーカシング方向及びトラッキング方向）に動作されるレンズホルダー９に保持されている。
【０００６】
光学系は、図２に示すようにレーザー光源としての半導体レーザー１０、メニスカスレンズ１１、グレーティング１２、ビームスプリッタ板１３、プリズムミラー１４、ウォラストンプリズム１５、シリンドリカルレンズ１６及び光検出器１７により構成されている。
【０００７】
そしてこの光学系では、半導体レーザー１０から出射されたレーザービームがメニスカスレンズ１１及びグレーティング１２を通過後、ビームスプリッタ１３を通過してプリズムミラー１４で垂直に立ち上げられる方向に屈折されて対物レンズ６によって光ディスクの信号記録面に微小スポットとして絞り込まれて入射される。この光ディスクの信号記録面からの反射光は、入射光と同じ光路を戻り、ビームスプリッタ１３からウォラストンプリズム１５及びシリンドリカルレンズ１６を通過して光検出器１７へ導かれ、この光検出器１７によって反射光の強度変化を捕えて信号が再生される。
【０００８】
またこの信号の再生時に、光ディスクに変動があってもレーザースポットが正確に光ディスクの信号記録トラックを捕える必要があるため、前述した二軸アクチュエーター８の駆動によって対物レンズ６を光ディスクの変動に追従させるようにしてある。
【０００９】
以上の如く構成される光ピックアップ４はシャーシ１の下面側に配置されているため、シャーシ１には開口部１８が設けられ、この開口部１８から光ピックアップ４の対物レンズ収容部７側の半部がシャーシ１の上面側に表出されて対物レンズ６が光ディスクＤの信号記録面と対向するようになっている。
【００１０】
【発明が解決しようとする課題】
ところで、最近光ディスク装置においては一層の薄型化が進んでいるが、上記の如く構成される従来の光ピックアップ装置では、対物レンズ収容部７側の半部のみが開口部１８から表出される構造のため、光ディスク装置全体としての厚みを薄く形成するには限界があった。
【００１１】
そこで図３に示す如くシャーシ１の開口部１８を大きく形成し、この開口部１８から光ピックアップ４がほぼ全面的に表出される構造とすれば、光ピックアップ装置の一層の薄型化が可能となる。
【００１２】
しかしながら、このようにシャーシ１の開口部１８から光ピックアップ４がほぼ全面的に表出される構造とした場合、開口部１８が大きすぎるため、シャーシ１は光ディスク装置のシャーシとして必要な強度を確保できなくなってしまう不具合があった。
【００１３】
本発明は、このような問題点に鑑みてなされたもので、シャーシの必要強度を確保しつつ、薄型化を可能とした光ディスク装置を提供することを目的とする。
【００１４】
【課題を解決するための手段】
上記の目的を達成するために本発明は、光ピックアップが移動可能に支持されるシャーシに開口部が設けられ、この開口部から光ピックアップがほぼ全面的に表出される構造の光ディスク装置において、開口部に光ピックアップの移動方向に架け渡される橋渡し部を設けてなるものである。またこの構成において光ピックアップ側には、橋渡し部に対する逃げ凹部を設ける。
【００１５】
上記のように開口部に橋渡し部を設けたことによりシャーシは必要な強度が充分に確保され、また光ピックアップは橋渡し部に対する逃げ凹部を設けたことにより橋渡し部が障害となることなくスムーズに移動できる。
【００１６】
【発明の実施の形態】
以下、図４を参照しながら本発明の実施の形態例について説明する。
【００１７】
図４において１は光ディスク装置のシャーシで、このシャーシ１は厚さ０．６〜０．８ｍｍ程度の硬い板金で出来ており、このシャーシ１に光ディスクＤを回転駆動するためのスピンドルモーター２や光ディスクＤに対する信号の記録または再生を行なう光ピックアップ４が支持されている。
【００１８】
スピンドルモーター２の駆動軸にはターンテーブル３が取り付けられており、このターンテーブル３に光ディスクＤがチャッキングされ、その状態でスピンドルモーター２が駆動することによってターンテーブル３と一体に光ディスクＤが回転駆動される。
【００１９】
光ピックアップ４は、シャーシ１の下面側に横架固定されるガイド軸５ａ，５ｂに沿って光ディスクＤの径方向に移動するように支持されており、その一半部には光ディスクＤの信号記録面と対向する対物レンズ６を収容する対物レンズ収容部７が設けられているとともに、他半部には上記対物レンズ６を通して光ディスクに対する信号の記録または再生を行なうための光学系が内蔵されている。
【００２０】
対物レンズ収容部７において対物レンズ６は、二軸アクチュエーター８によって二軸方向（フォーカシング方向及びトラッキング方向）に動作されるレンズホルダー９に保持されている。
【００２１】
光学系は、図２に示すようにレーザー光源としての半導体レーザー１０、メニスカスレンズ１１、グレーティング１２、ビームスプリッタ板１３、プリズムミラー１４、ウォラストンプリズム１５、シリンドリカルレンズ１６及び光検出器１７により構成されている。
【００２２】
そしてこの光学系では、半導体レーザー１０から出射されたレーザービームがメニスカスレンズ１１及びグレーティング１２を通過後、ビームスプリッタ１３を通過してプリズムミラー１４で垂直に立ち上げられる方向に屈折されて対物レンズ６によって光ディスクの信号記録面に微小スポットとして絞り込まれて入射される。この光ディスクの信号記録面からの反射光は、入射光と同じ光路を戻り、ビームスプリッタ１３からウォラストンプリズム１５及びシリンドリカルレンズ１６を通過して光検出器１７へ導かれ、この光検出器１７によって反射光の強度変化を捕えて信号が再生される。
【００２３】
またこの信号の再生時に、光ディスクに変動があってもレーザースポットが正確に光ディスクの信号記録トラックを捕える必要があるため、前述した二軸アクチュエーター８の駆動によって対物レンズ６を光ディスクの変動に追従させるようにしてある。
【００２４】
以上の如く構成される光ピックアップ４はシャーシ１の下面側に配置されているため、シャーシ１には開口部１８が設けられ、この開口部１８から光ピックアップ４がシャーシ１の上面側に表出されて対物レンズ６が光ディスクＤの信号記録面と対向するようになっている。
【００２５】
ここで本例においては光ディスク装置の一層の薄型化を図るために、シャーシ１の開口部１８を大きく形成し、この開口部１８から光ピックアップ４がほぼ全面的に表出される構造としてある。
【００２６】
そしてこのシャーシ１の構造では、開口部１８のほぼ中央部に所要幅で光ピックアップ４の移動方向に架け渡される橋渡し部１９が一体に設けられている。
この橋渡し１９を設けたことにより、シャーシ１は、光ディスク装置のシャーシとして必要な強度が充分に確保されることになる。
【００２７】
またこの構成において光ピックアップ４側には、橋渡し部１９に対する逃げ凹部２０が設けられ、即ち光ピックアップ４は橋渡し部１９に対応する部分が逃げ凹部２０による薄肉構造となっている。
このため光ピックアップ４は、橋渡し部１９が障害となることなく、スムーズに移動することができる。
【００２８】
尚、以上の構成において橋渡し部１９はシャーシ１と一体に形成されているが、これに限ることなく別体の橋渡し部１９をシャーシ１に固定する構造としてもよい。
【００２９】
【発明の効果】
以上の説明で明らかな如く本発明は、光ピックアップが移動可能に支持されるシャーシ１に開口部が設けられ、この開口部から光ピックアップがほぼ全面的に表出される構造の光ピックアップ装置において、開口部に光ピックアップの移動方向に架け渡される橋渡し部を設け、また光ピックアップ側にはこの橋渡し部に対する逃げ凹部を設けた構成としたことにより、シャーシの必要強度を維持しながら光ピックアップ装置の一層の薄型化を図ることができる。
【図面の簡単な説明】
【図１】従来例を示す構造図で、（Ａ）は平面図、（Ｂ）は側面図である。
【図２】光ピックアップの光学系の説明図である。
【図３】他の従来例を示す構造図で、（Ａ）は平面図、（Ｂ）は側面図である。
【図４】本発明の実施の形態の一例を示す構造図で、（Ａ）は平面図、（Ｂ）は側面図である。
【符号の説明】
１‥‥シャーシ、４‥‥光ピックアップ、１８‥‥開口部、１９‥‥橋渡し部、２０‥‥逃げ凹部
【図１】
0003692729.tif 000002
【図２】
0003692729.tif 000003
【図３】
0003692729.tif 000004
【図４】
0003692729.tif 000005